(57)【要約】【課題】既設の書棚を利用して容易に資料探索システムを構成することができるアンテナを提供すること。【解決手段】このアンテナ１０は、導電性のフィルムによってループ状に構成されており、棚２０１の間口方向の前縁部に沿うように形成されている第一部分１０１と、当該第一の部分１０１に沿うように形成されている第二部分１０２と、を有し、第一部分１０１の奥行き方向の幅ａは、第二部分１０２の奥行き方向の幅ｂよりも広くなるように形成されている、ことを特徴とする【選択図】  図１
2004269079.tif 000002
【特許請求の範囲】
【請求項１】
棚の奥行き方向には重ならないように棚の間口方向に重ねあわされて配置される資料群から、特定の資料を探索するための資料探索システムに用いられるアンテナであって、
導電性のフィルムによってループ状に構成されており、
前記棚の間口方向の前縁部に沿うように形成されている第一部分と、
当該第一の部分に沿うように形成されている第二部分と、を有し、
前記第一部分の前記奥行き方向の幅は、前記第二部分の前記奥行き方向の幅よりも広くなるように形成されている、
ことを特徴とするアンテナ。
【請求項２】
前記第一部分の前記奥行き方向の幅は４〜８ｃｍである、ことを特徴とする請求項１記載のアンテナ。
【発明の詳細な説明】
【０００１】
【発明の属する技術分野】
本発明は、棚の奥行き方向には重ならないように棚の間口方向に重ねあわされて配置される資料群から、特定の資料を探索するための資料探索システムに用いられるアンテナに関するものである。
【０００２】
【従来の技術】
棚に配置された資料を探索する資料探索システムとしては、棚の内部にループアンテナを配置し、資料に付された非接触式のＩＤユニットを探索するものがある（特許文献１参照。）。
【０００３】
【特許文献１】
特開平１１−１８０５１３号公報
【０００４】
【発明が解決しようとする課題】
上記特許文献１に記載の技術では、ループアンテナを棚の内部に設けることとされている。従って、既設の書棚を利用して資料探索システムを提供することは容易ではない。
【０００５】
そこで本発明では、既設の書棚を利用して容易に資料探索システムを構成することができるアンテナを提供することを課題とする。
【０００６】
【課題を解決するための手段】
本発明者らは、棚の奥行き方向には重ならないように棚の間口方向に重ねあわされて配置される資料群から、特定の資料を探索するための資料探索システムに用いられるアンテナについて検討を行った。そこで、現実に資料探索システムを提供しようとすればアンテナ出力には制限があり、単にループアンテナを棚に配置しただけでは資料を探索できない領域が発生する場合があることを見出した。この発明はこれらの知見に基づいてなされたものである。
【０００７】
本発明のアンテナは、棚の奥行き方向には重ならないように棚の間口方向に重ねあわされて配置される資料群から、特定の資料を探索するための資料探索システムに用いられるアンテナであって、導電性のフィルムによってループ状に構成されており、棚の間口方向の前縁部に沿うように形成されている第一部分と、当該第一の部分に沿うように形成されている第二部分と、を有し、第一部分の奥行き方向の幅は、第二部分の奥行き方向の幅よりも広くなるように形成されている、
ことを特徴とする。
【０００８】
本発明のアンテナは導電性のフィルムで構成されているので、既設の棚の表面に配置できる。また、第一部分の奥行き方向の幅が第二部分の奥行き方向の幅よりも広くなっているので、棚に配置される資料の位置が前後にずれたとしてもその資料に付されている発信装置から発信される電波を受信できる確率が高まる。
【０００９】
また本発明のアンテナでは、第一部分の奥行き方向の幅は４〜８ｃｍであることが好ましい。例えば、電波法の制約を守るためにアンテナの出力を１Ｗに限定した場合に、第一部分の奥行き方向の幅を無制限に広げれば磁束密度が低下してしまう。そこで、本発明者らが棚に配置される資料の配置状況を詳細に検討した結果、第一部分の幅を４〜８ｃｍ、より好ましくは５〜７ｃｍとすることで不感領域を極力狭くしつつ有効な磁束密度を確保できることを見出した。
【００１０】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１１】
本発明の実施形態であるアンテナについて図１を用いて説明する。図１は、本実施形態のアンテナ１０を書棚２０の棚２０１に配置した様子を示した図である。書棚２０には矢印Ａの方向から書籍３０（資料）及び書籍３１（資料）を出し入れすることが可能である。書籍３０にはＲＦＩＤタグ３０１が、書籍３１にはＲＦＩＤタグ３１１がそれぞれ貼り付けられている。これらのＲＦＩＤタグ３０１及びＲＦＩＤタグ３１１は、交流磁界によるコイルの相互誘導を利用してアンテナ１０と交信可能なように構成されている。尚、ＲＦＩＤタグの交信方式はこれに限られるものではない。
【００１２】
アンテナ１０は棚２０１の上面に貼り付けられている。アンテナ１０は導電性のフィルムによってループ状に構成されているので、棚２０１から書籍３０及び書籍３１を出し入れする際に妨げとならない。アンテナ１０は、棚２０１の間口方向の前縁部に沿うように形成されている第一部分１０１と、この第一部分１０１に沿うように形成されている第二部分１０２と、第一部分１０１及び第二部分１０２を繋ぐ第三部分１０３、１０４とで構成されている。
【００１３】
第一部分１０１の奥行き方向（図中矢印Ａ方向）の幅ａは、第二部分１０２の奥行き方向の幅ｂよりも広くなるように形成されている。従って、アンテナ１０に同軸ケーブル１５を通して電力を供給すれば、アンテナ１０の周囲には所定の磁場が生じる。第一部分１０１においては、間口方向に対して弧を描くように磁場５００が生じる。この磁場５００は第一部分１０１の幅ａの変化に応じて棚２０１上における広がりが変化する。すなわち、幅ａが広くなればなるほど磁場５００は広がりを持つことになり、図１に示す書籍３０の位置であっても書籍３１の位置であってもＲＦＩＤタグ３０１及び３１１と交信することが可能となる。
【００１４】
しかしながら、アンテナ１０の出力を１Ｗ程度に限定しようとすれば、第一部分１０１の幅ａを広げることには限界がある。第一部分１０１の幅ａについて更に検討した結果を図２に示す。図２は、第一部分１０１の幅ａを横軸に、読取範囲を縦軸にとっている。この読取範囲はＲＦＩＤタグ３０１及び３１１と交信可能な範囲を、棚２０１に沿った長さで表している。グラフ２５は、読取高さ（ＲＦＩＤタグ３０１及び３１１の高さ）が１ｃｍ以下の場合を示し、グラフ２６は、読取高さが２ｃｍ以下の場合を示している。
【００１５】
図２に示すように、幅ａが４ｃｍを下回ればその幅の減少に応じて読取範囲も狭くなる。また、幅ａが８ｃｍを超えると磁束密度が低下するため、実効のある読取高さが低下して読取範囲が実質的に狭くなる。従って、第一部分１０１の幅ａが４ｃｍ〜８ｃｍである領域２７が最適領域となり、第一部分１０１の幅ａが５ｃｍ〜７ｃｍであればより好適である。
【００１６】
引き続いて、アンテナ１０を用いた資料管理システム４について図３を用いて説明する。資料管理システム４は、アンテナ１０及びそれと同等のアンテナ１１〜１３と、アンテナ切替機４４と、リーダライタ４３と、ネットワーク４２と、蔵書管理サーバ４１とから構成される。アンテナ切替機４４は、アンテナ１０〜１３のそれぞれとの接続を切り替えてリーダライタ４３と信号の送受信をする装置である。リーダライタ４３は、蔵書管理サーバ４１からネットワーク４２を介して送られてくる情報に基づいてアンテナ１０〜１３に対して所定の信号を出力する部分であり、アンテナ１０〜１３から出力されてくる信号を変換して蔵書管理サーバ４１に出力する部分である。蔵書管理サーバ４１は、アンテナ１０〜１３が配置されている棚にどの書籍が配置されているかを管理するサーバである。
【００１７】
この資料管理システム４によれば、例えば、書籍３０を探しているユーザは蔵書管理サーバ４１に書籍３０を探索する情報を入力する。蔵書管理サーバ４１は、その入力された情報に基づいて、書籍３０に貼り付けられているＲＦＩＤタグ３０１を特定する。蔵書管理サーバ４１はＲＦＩＤタグ３０１を探索する指示情報をリーダライタ４３に送信する。リーダライタ４３は、アンテナ１０〜１３に所定の信号を送信してそれぞれの棚に配置されている書籍のＲＦＩＤタグを特定する情報を取得し、ＲＦＩＤタグ３０１を特定する情報と対比して書籍３０がどの棚に配置されているかを特定する。リーダライタ４３はその特定した情報を蔵書管理サーバ４１に送信し、蔵書管理サーバ４１はその情報を出力してユーザに提供する。尚、蔵書管理サーバ４１は、リーダライタ４３によって各書籍の位置を予め特定して格納しておいてもよい。各書籍の位置を予め取得しておけば、ユーザからの要求に応じて迅速に特定の書籍の位置を特定して出力できる。
【００１８】
【発明の効果】
本発明のアンテナは導電性のフィルムで構成されているので、既設の棚の表面に配置できる。また、第一部分の奥行き方向の幅が第二部分の奥行き方向の幅よりも広くなっているので、棚に配置される資料の位置が前後にずれたとしてもその資料に付されている発信装置から発信される電波を受信できる確率が高まる。従って本発明の目的とする、既設の書棚を利用して容易に資料探索システムを構成することができるアンテナを提供することができた。
【図面の簡単な説明】
【図１】本発明の実施形態であるアンテナを説明するための図である。
【図２】図１のアンテナの仕様を説明するための図である。
【図３】図１のアンテナを用いた書籍管理システムを示す図である。
【符号の説明】
１０…アンテナ、１０１…第一部分、１０２…第二部分、１０３、１０４…第三部分、２０…書棚、２０１…棚、３０、３１…書籍、３０１、３１１…ＲＦＩＤタグ。
【図１】
2004269079.tif 000003
【図２】
2004269079.tif 000004
【図３】
2004269079.tif 000005